(57)【要約】      （修正有）【課題】薬剤の減り具合を目で見て確認することができると共に、薬剤の装填作業を簡単迅速に行うことができ、更に薬剤の溶解速度を大幅に遅らせることができる薬剤混合機能付シャワーヘッドを提供する。【解決手段】ヘッド本体７を軸方向の中央部で分割し、その分割した部分に薬剤装填部８を設ける。薬剤装填部８における薬剤ホルダー１５を、樹脂製透明円筒体９内に収容する。樹脂製透明円筒体９内に、円板状整流板１１がフランジ状接続部１０側に位置するようにして収容する。中央部に直径方向に沿って所要幅にわたる通水小孔群１２を設けると共に、通水小孔群１２の両側に通水孔１３，１３を設けた円板状整流板１１を設け、通水小孔群１２の両側の位置に、一対の薬剤挟持板１４，１４を直角に突設し、薬剤ホルダー１５の一対の薬剤挟持板１４，１４間に、円板状の水溶性固形薬剤１６を嵌挿する。【選択図】図２
0003186876.tif 000002
【実用新案登録請求の範囲】
【請求項１】
多数の散水孔を有する散水板を備えたノズルキャップと、先端側に前記ノズルキャップの装着部を設けると共に、後端側に給水ホースの接続部を設けたヘッド本体とからなり、前記ヘッド本体内に薬剤収容部を設け、該薬剤収容部に円板状の水溶性固形薬剤を装填する薬剤混合機能付シャワーヘッドにおいて、前記ヘッド本体を軸方向の所要の位置において分割し、該分割した部分に、ヘッド本体のノズルキャップの装着部側の分割端面に一端側を接合した樹脂製透明円筒体と、ヘッド本体の給水ホースの接続部側の分割端面に備えたフランジ状接続部と、前記樹脂製透明円筒体内に、円板状整流板が前記フランジ状接続部側に位置するようにして収容する、中央部に直径方向に沿って所要幅にわたる通水小孔群を設けると共に、該通水小孔群の両側に該通水小孔群の各通水小孔より大きい通水孔を設けた円板状整流板の一方の面における前記通水小孔群の両側の位置に、一対の薬剤挟持板を直角に突設してなる薬剤ホルダーとからなり、前記樹脂製透明円筒体と前記フランジ状接続部とを係合構造により接続するようになした薬剤装填部を設け、該薬剤装填部における前記薬剤ホルダーの一対の薬剤挟持板間に、平面が該一対の薬剤挟持板と平行になるようにして円板状の水溶性固形薬剤を嵌挿してなることを特徴とする薬剤混合機能付シャワーヘッド。
【請求項２】
樹脂製透明円筒体とフランジ状接続部とを接続する係合構造が、樹脂製透明円筒体におけるヘッド本体のノズルキャップの装着部側への接合部と反対側の端部の外周面に設けた係合突起と、フランジ状接続部の内面に設けた、前記樹脂製透明円筒体の係合突起が係合するＬ字状の係合溝とをもって構成してなる係合構造である請求項１記載の薬剤混合機能付シャワーヘッド。
【請求項３】
樹脂製透明円筒体とフランジ状接続部とを接続する係合構造が、樹脂製透明円筒体におけるヘッド本体のノズルキャップの装着部側への接合部と反対側の端部の外周面に設けたＬ字状の係合溝と、フランジ状接続部の内面に設けた、前記樹脂製透明円筒体のＬ字状の係合溝に係合する係合突起とをもって構成してなる係合構造である請求項１記載の薬剤混合機能付シャワーヘッド。
【考案の詳細な説明】
【技術分野】
【０００１】  本考案は薬剤混合機能付シャワーヘッドに関するものである。
【背景技術】
【０００２】  原水に洗浄用薬剤、香料薬剤、スキンケア用薬剤等の種々の薬剤を混合し、これをシャワー水としてシャワーを行うことができるようにした薬剤混合機能付シャワーヘッドが実用に供されている。【０００３】  図６は従来の薬剤混合機能付シャワーヘッドを示すものであり、該従来の薬剤混合機能付シャワーヘッド１００は、多数の散水孔１０１を有する散水板１０２を備えたノズルキャップ１０３と、先端側に前記ノズルキャップ１０３の装着部１０４を設けると共に、後端側に給水ホースの接続部１０５を設けたヘッド本体１０６とからなり、前記ヘッド本体１０６内における前記ノズルキャップ１０３との接続部分に薬剤装填部１０７を設け、該薬剤装填部１０７に円板状の水溶性固形薬剤１０８を装填してなるものである。尚、１０９は原水流路である。【０００４】  また、前記ノズルキャップ１０３及びヘッド本体１０６は不透明な樹脂からなるものであり、また、ノズルキャップ１０３のヘッド本体１０６への装着は、ヘッド本体１０６に設けた雄ネジ１０６Ａにノズルキャップ１０３の雌ネジ１０３Ａを螺合して行うものである。更にまた、薬剤装填部１０７への円板状の水溶性固形薬剤１０８の装填は、該円板状の水溶性固形薬剤１０８の平面部分１０８Ａが原水の水流に対して略直角になるようにして行うものである。
【考案の概要】
【考案が解決しようとする課題】
【０００５】  従来の薬剤混合機能付シャワーヘッド１００は、上記の通りであり、ノズルキャップ１０３及びヘッド本体１０６が不透明な樹脂からなるものであるから、薬剤装填部１０７内の円板状の水溶性固形薬剤１０８を外部から見ることができない。したがって、該円板状の水溶性固形薬剤１０８の減り具合が全く分からず、溶解して消失してしまっていてもこれに気付かないことがある。【０００６】  また、ノズルキャップ１０３のヘッド本体１０６への装着は、ヘッド本体１０６に設けた雄ネジ１０６Ａにノズルキャップ１０３の雌ネジ１０３Ａを螺合して行うものであるから、薬剤の装填時においてこれらの着脱に手間と時間がかかり過ぎることになる。また、ネジの形成は製造上において面倒である。【０００７】  また、薬剤装填部１０７への円板状の水溶性固形薬剤１０８の装填は、該円板状の水溶性固形薬剤１０８の平面部分１０８Ａが原水の水流に対して略直角になるようにして行うものであるから、水流に当たる面積が大きく且つ強く当たることになる。したがって、薬剤の溶解速度が速く、短時間で新しい薬剤を装填し直さなくてはならない。【０００８】  本考案は上記の点に鑑みなされたものであって、ヘッド本体を軸方向の所要の位置において分割し、該分割した部分に薬剤装填部を設け、そして該薬剤装填部における薬剤ホルダーを、樹脂製透明円筒体内に収容することによって、目で見て薬剤の減り具合を確認することができるようになし、また樹脂製透明円筒体とフランジ状接続部との接続は、係合構造で行うことにより、僅かなひねり動作によって容易に接続及び分離が可能となり、更に薬剤ホルダーの薬剤挟持板間に嵌挿した円板状の水溶性固形薬剤は、円板状整流板の通水小孔群によって水流を弱められた状態で接触し、且つまた周面しか水流に当たらないようにすることにより、薬剤の溶解速度を大幅に遅らせることができるようになし、もって上記従来の薬剤混合機能付シャワーヘッドの問題点を悉く解消することができるようになした薬剤混合機能付シャワーヘッドを提供しようとするものである。
【課題を解決するための手段】
【０００９】  而して、本考案の要旨をするところは、多数の散水孔を有する散水板を備えたノズルキャップと、先端側に前記ノズルキャップの装着部を設けると共に、後端側に給水ホースの接続部を設けたヘッド本体とからなり、前記ヘッド本体内に薬剤収容部を設け、該薬剤収容部に円板状の水溶性固形薬剤を装填する薬剤混合機能付シャワーヘッドにおいて、前記ヘッド本体を軸方向の所要の位置において分割し、該分割した部分に、ヘッド本体のノズルキャップの装着部側の分割端面に一端側を接合した樹脂製透明円筒体と、ヘッド本体の給水ホースの接続部側の分割端面に備えたフランジ状接続部と、前記樹脂製透明円筒体内に、円板状整流板が前記フランジ状接続部側に位置するようにして収容する、中央部に直径方向に沿って所要幅にわたる通水小孔群を設けると共に、該通水小孔群の両側に該通水小孔群の各通水小孔より大きい通水孔を設けた円板状整流板の一方の面における前記通水小孔群の両側の位置に、一対の薬剤挟持板を直角に突設してなる薬剤ホルダーとからなり、前記樹脂製透明円筒体と前記フランジ状接続部とを係合構造により接続するようになした薬剤装填部を設け、該薬剤装填部における前記薬剤ホルダーの一対の薬剤挟持板間に、平面が該一対の薬剤挟持板と平行になるようにして円板状の水溶性固形薬剤を嵌挿してなることを特徴とする薬剤混合機能付シャワーヘッドにある。【００１０】  また、上記構成において、樹脂製透明円筒体とフランジ状接続部とを接続する係合構造として、樹脂製透明円筒体におけるヘッド本体のノズルキャップの装着部側への接合部と反対側の端部の外周面に設けた係合突起と、フランジ状接続部の内面に設けた、前記樹脂製透明円筒体の係合突起が係合するＬ字状の係合溝とをもって構成してなる係合構造としてもよい。【００１１】  また、上記構成において、樹脂製透明円筒体とフランジ状接続部とを接続する係合構造として、樹脂製透明円筒体におけるヘッド本体のノズルキャップの装着部側への接合部と反対側の端部の外周面に設けたＬ字状の係合溝と、フランジ状接続部の内面に設けた、前記樹脂製透明円筒体のＬ字状の係合溝に係合する係合突起とをもって構成してなる係合構造としてもよい。
【考案の効果】
【００１２】  本考案は上記の通りであり、ヘッド本体を軸方向の所要の位置において分割し、該分割した部分に薬剤装填部を設け、そして該薬剤装填部における薬剤ホルダーを、樹脂製透明円筒体内に収容するものであるから、目で見て薬剤の減り具合を確認することができるものである。したがって、新たな薬剤を装填するタイミングを確実に知ることができるものである。また、樹脂製透明円筒体とフランジ状接続部との接続は、係合構造で行うものであるから、僅かなひねり動作によって容易に接続及び分離が可能となるものである。したがって、薬剤の装填作業を簡単、迅速に行うことができるものである。更に薬剤ホルダーの薬剤挟持板間に嵌挿した円板状の水溶性固形薬剤は、円板状整流板の通水小孔群によって水流を弱められた状態で接触し、且つまた周面しか水流に当たらないようにするものであるから、薬剤の溶解速度を大幅に遅らせることができるものである。もって上記従来の薬剤混合機能付シャワーヘッドの問題点を悉く解消することができるものである。
【図面の簡単な説明】
【００１３】
【図１】本考案の実施形態に係る薬剤混合機能付シャワーヘッドの斜視図である。
【図２】同分解斜視図である。
【図３】同組み付けた状態の要部の断面図である。
【図４】薬剤ホルダーの斜視図である。
【図５】樹脂製透明円筒体とフランジ状接続部との接続方法の説明図である。
【図６】従来の薬剤混合機能付シャワーヘッドの断面図である。
【考案を実施するための形態】
【００１４】    以下、本考案を実施するための形態について、図面を参照して説明する。
【００１５】    図中、１は薬剤混合機能付シャワーヘッドである。また、該薬剤混合機能付シャワーヘッド１は、多数の散水孔２を有する散水板３を備えたノズルキャップ４と、先端側に前記ノズルキャップ４の装着部５を設けると共に、後端側に給水ホースの接続部６を設けたヘッド本体７とからなるものである。また、前記ヘッド本体７は、本実施形態においては不透明な樹脂からなるものを示しているが、透明な樹脂からなるものでもよい。
【０００１６】  また、前記ヘッド本体７は軸方向の所要の位置（本実施形態においては軸方向の中央部）において分割し、該分割した部分に薬剤装填部８を設けている。また、該薬剤装填部８は、ヘッド本体７のノズルキャップの装着部５側の分割端面７Ａに一端側９Ａを接合した樹脂製透明円筒体９と、ヘッド本体７の給水ホースの接続部６側の分割端面７Ｂに備えたフランジ状接続部１０と、前記樹脂製透明円筒体９内に、円板状整流板１１が前記フランジ状接続部１０側に位置するようにして収容する、中央部に直径方向に沿って所要幅にわたる通水小孔群１２を設けると共に、該通水小孔群１２の両側に該通水小孔群１２の各通水小孔より大きい通水孔１３，１３を設けた円板状整流板１１の一方の面における前記通水小孔群１２の両側の位置に、一対の薬剤挟持板１４，１４を直角に突設してなる薬剤ホルダー１５とからなり、前記樹脂製透明円筒体９と前記フランジ状接続部１０とを係合構造により接続するようになしたものである。そして、該薬剤装填部８における前記薬剤ホルダー１５の一対の薬剤挟持板１４，１４間に、平面１６Ａが該一対の薬剤挟持板１４，１４と平行になるようにして円板状の水溶性固形薬剤１６を嵌挿してなるものである。
【００１７】  樹脂製透明円筒体９とフランジ状接続部１０とを接続する前記係合構造として、本実施形態においては、樹脂製透明円筒体９におけるヘッド本体７のノズルキャップの装着部５側への接合部９Ａと反対側の端部９Ｂの外周面に設けた係合突起１７と、フランジ状接続部１０の内面に設けた、前記樹脂製透明円筒体９の係合突起１７が係合するＬ字状の係合溝１８とをもって構成している。
【００１８】  また、図示はしないが、樹脂製透明円筒体９とフランジ状接続部１０とを接続する係合構造として、樹脂製透明円筒体９におけるヘッド本体７のノズルキャップの装着部５側への接合部９Ａと反対側の端部９Ｂの外周面に設けたＬ字状の係合溝と、フランジ状接続部１０の内面に設けた、前記樹脂製透明円筒体９のＬ字状の係合溝に係合する係合突起とをもって構成してなる係合構造としてもよい。
【００１９】  次に、本実施形態の作用について説明する。
給水ホースの接続部６から送り込まれた原水はヘッド本体７内に流入し、薬剤装填部８において円板状の水溶性固形薬剤１６と接触して薬剤を混合される。そしてこの薬剤が混合された水はシャワー水としてノズルキャップ４の散水板３から噴射されるものである。
【００２０】  また、ヘッド本体７は軸方向の所要の位置（本実施形態においては軸方向の中央部）において分割し、該分割した部分に薬剤装填部８を設け、そして該薬剤装填部８における薬剤ホルダー１５を、樹脂製透明円筒体９内に収容するものであるから、目で見て薬剤の減り具合を確認することができるものである。したがって、新たな薬剤を装填するタイミングを確実に知ることができるものである。また、樹脂製透明円筒体９とフランジ状接続部１０との接続は、係合構造で行うものであるから、僅かなひねり動作によって容易に接続及び分離が可能となるものである。したがって、薬剤の装填作業を簡単、迅速に行うことができるものである。更に薬剤ホルダー１５の薬剤挟持板１４，１４間に嵌挿した円板状の水溶性固形薬剤１６は、円板状整流板１１の通水小孔群１２によって水流を弱められた状態で接触し、且つまた周面しか水流に当たらないようにするものであるから、薬剤の溶解速度を大幅に遅らせることができるものである。もって上記従来の薬剤混合機能付シャワーヘッドの問題点を悉く解消することができるものである。
【符号の説明】
【００２１】  １  薬剤混合機能付シャワーヘッド
４  ノズルキャップ
５  ヘッド本体のノズルキャップの装着部
６  ヘッド本体の給水ホースの接続部
７  ヘッド本体
８  薬剤装填部
９  樹脂製透明円筒体
１０  フランジ状接続部
１１  円板状整流板
１２  通水小孔群
１３、１３  通水孔
１４，１４  一対の薬剤挟持板
１５  薬剤ホルダー
１６  円板状の水溶性固形薬剤
１７  係合突起
１８  Ｌ字状の係合溝
【図１】
0003186876.tif 000003
【図２】
0003186876.tif 000004
【図３】
0003186876.tif 000005
【図４】
0003186876.tif 000006
【図５】
0003186876.tif 000007
【図６】
0003186876.tif 000008